(57)【要約】【課題】低コストで且つおむつの乾燥状態及び濡れ状態を高精度に検出することができる濡れセンサ及び濡れ検出システムを提供する。【解決手段】おむつ１の人体に接触する内面側に貼着されて前記おむつ１の濡れ状態及び乾燥状態を検出する濡れセンサ１０であって、共振タグ２０と、該共振タグ２０を前記おむつ１に貼着する粘着層３０と、該粘着層３０の粘着面を被覆すると共に剥離可能な剥離膜４０とを具備する。【選択図】  図２
2008272331.tif 000002
【特許請求の範囲】
【請求項１】
おむつの人体に接触する内面側に貼着されて前記おむつの濡れ状態及び乾燥状態を検出する濡れセンサであって、
共振タグと、該共振タグを前記おむつに貼着する粘着層と、該粘着層の粘着面を被覆すると共に剥離可能な剥離膜とを具備することを特徴とする濡れセンサ。
【請求項２】
前記共振タグの少なくとも前記おむつと相対向する面とは反対側の表面には、保護膜が設けられていることを特徴とする請求項１記載の濡れセンサ。
【請求項３】
前記保護膜が、前記共振タグより広い面積で且つ前記共振タグを覆う大きさで設けられていることを特徴とする請求項２記載の濡れセンサ。
【請求項４】
前記共振タグが、前記保護膜と前記粘着層とで挟み込まれるように設けられており、当該粘着層に前記剥離膜が設けられていることを特徴とする請求項２又は３記載の濡れセンサ。
【請求項５】
前記共振タグが、前記保護層及び前記剥離膜と別体であることを特徴とする請求項３記載の濡れセンサ。
【請求項６】
前記保護膜が、不織布からなることを特徴とする請求項２〜５の何れか一項に記載の濡れセンサ。
【請求項７】
前記共振タグの前記おむつに相対向する面には、吸水層が設けられていることを特徴とする請求項１〜６の何れか一項に記載の濡れセンサ。
【請求項８】
乾燥状態及び濡れ状態となるおむつの人体に接触する内面側に貼着された粘着層と、該粘着層を介して貼着された共振タグとを有する濡れセンサと、外部から前記おむつを介して前記共振タグに電波を送信すると共に、前記共振タグで共振した反射波を前記おむつを介して受信して、受信結果に基づいて前記おむつの乾燥状態又は濡れ状態を識別する検出装置とを具備することを特徴とする濡れ検出システム。
【請求項９】
前記検出装置が、前記共振タグに間欠的に電波を送信するものであることを特徴とする請求項８記載の濡れ検出システム。
【発明の詳細な説明】
【技術分野】
【０００１】
本発明は、おむつの濡れ状態を検出することが可能な共振タグ及びその共振タグを用いておむつの濡れ状態を検出する濡れ検出システムに関する。
【背景技術】
【０００２】
近年、健康の保全・増進をはかると共に、疾病に対する予防・治療に努めるために、あらゆる場面における衛生面が見直されている。特に、病人のいる病院や施設、又は免疫力が劣る幼児や老人のいる一般家庭などにおいては、生活全般において衛生状態や衛生環境を保つことが心がけられている。例えば、病院や施設においては、体の不自由な病人が多く、疾病に対する予防・治療のために、おむつの交換が必要となっていた。すなわち、糞尿があったにも関わらずおむつの交換をしない時間が継続したりすると、カビ、かぶれ及び床ずれなどの副次的な症状を引き起こす原因となるからである。また、一般家庭においても、老人及び幼児のおむつを定期的に交換することが衛生面や健康面を維持するために必要不可欠となっている。
【０００３】
しかしながら、おむつの交換は、介護者や看護士などにとって非常に負担の大きい作業であった。すなわち、おむつの交換を要する糞尿の有無には個人差が非常に大きく、時間帯や頻度も異なるため、個人に応じてきめ細かく対応することが困難であった。
【０００４】
また、おむつの交換を要する糞尿の有無を確認するためには、おむつの内部に手を入れて確認するなどの行為が必要であり、病気の大人や老人などに対しておむつの内部に手を入れて確認するという作業は、衛生面での問題や、羞恥心の問題などがある。
【０００５】
このため、濡れ検出に関する技術として、例えば、取り扱いが容易で且つ低コストで連続製造ができる濡れ検出可能なおむつ（例えば、特許文献１参照）や、ＬＣ共振タグを内臓して、ＬＣ共振タグの反射波により衛星用品の汚れを検知するサニタリー用センサーシステム（例えば、特許文献２参照）などが提案されている。
【０００６】
また、ＩＣタグにより濡れ状態を検出するＩＣタグ及びＩＣタグを用いた濡れ検出システム並びに濡れ検出おむつが提案されている（例えば、特許文献３参照）
【特許文献１】特開２００５−０５２５６３号公報
【特許文献２】特開２００１−１３４７２６号公報
【特許文献３】ＷＯ２００６／１３４９４０Ａ１
【発明の開示】
【発明が解決しようとする課題】
【０００７】
しかしながら、特許文献１〜３のように、おむつに濡れセンサを埋め込むタイプのものでは、おむつの製造段階から濡れセンサをおむつに埋め込まなくてはならず、煩雑であると共に、おむつは種類やサイズが複数存在するため、全てのおむつに対応させるためには高コストになってしまうという問題がある。特に、特許文献３のようにＩＣタグを用いると、ＩＣタグは高価であるため、おむつが高コストになってしまう。
【０００８】
また、特許文献２のように、共振タグを用いて、反射波の周波数の違いからおむつの乾燥状態又は濡れ状態を検出することができるが、共振タグとおむつの吸水パッドとの間に隙間が生じたり、共振タグのコイル部分に相対向する吸水パッドの領域が全て吸水していない場合などでは、おむつの乾燥状態又は濡れ状態を正確に検出することができないという問題がある。
【０００９】
本発明はこのような事情に鑑み、低コストで且つおむつの乾燥状態及び濡れ状態を高精度に検出することができる濡れセンサ及び濡れ検出システムを提供することを課題とする。
【課題を解決するための手段】
【００１０】
上記課題を解決する本発明の態様は、おむつの人体に接触する内面側に貼着されて前記おむつの濡れ状態及び乾燥状態を検出する濡れセンサであって、共振タグと、該共振タグを前記おむつに貼着する粘着層と、該粘着層の粘着面を被覆すると共に剥離可能な剥離膜とを具備することを特徴とする濡れセンサにある。
【００１１】
かかる態様では、おむつの製造段階で濡れセンサを埋め込む必要がなく、市販される一般的なおむつに濡れセンサを取り付けることができる。したがって、サイズや用途の異なるおむつに対して同じ濡れセンサを用いることができるため、濡れセンサを量産化することができると共に、おむつに濡れセンサを埋め込む必要がなく、おむつの製造コストが増大するのを防止して、コストを低減することができる。
【００１２】
また、前記共振タグの少なくとも前記おむつと相対向する面とは反対側の表面には、保護膜が設けられていることが好ましい。これによれば、保護膜を設けることによって、共振タグによるおむつを装着した人体のかぶれを防止することができる。
【００１３】
また、前記保護膜が、前記共振タグより広い面積で且つ前記共振タグを覆う大きさで設けられていることが好ましい。これによれば、保護膜によって、共振タグの側面を含む表面全てを覆うことができるため、おむつを装着した人体のかぶれをさらに確実に防止できる。
【００１４】
ここで、前記共振タグが、前記保護膜と前記粘着層とで挟み込まれるように設けられており、当該粘着層に前記剥離膜が設けられているのが好ましい。これにより、共振タグが保護膜と粘着層とで挟持され、より確実におむつに保持される。
【００１５】
又は、共振タグが、保護層及び剥離膜と別体であってもよい。これによれば、濡れセンサの構造を簡略化してコストを低減することができる。
【００１６】
また、前記保護膜が、不織布からなることが好ましい。これによれば、人体のかぶれを確実に防止できる。
【００１７】
ここで、前記共振タグの前記おむつに相対向する面には、吸水層が設けられていることが好ましい。これによれば、濡れセンサとおむつ（特におむつの吸水部）との間に空間が生じた場合や、糞尿の量が少なく、おむつの濡れセンサに相対向する領域が濡れていない状態であっても、吸水層がおむつよりも先に積極的に吸水を行わせることができるため、濡れセンサによるおむつの濡れ状態の検出を高精度に行うことができる。
【００１８】
さらに、本発明の他の態様は、乾燥状態及び濡れ状態となるおむつの人体に接触する内面側に貼着された粘着層と、該粘着層を介して貼着された共振タグとを有する濡れセンサと、外部から前記おむつを介して前記共振タグに電波を送信すると共に、前記共振タグで共振した反射波を前記おむつを介して受信して、受信結果に基づいて前記おむつの乾燥状態又は濡れ状態を識別する検出装置とを具備することを特徴とする濡れ検出システムにある。
【００１９】
かかる態様では、おむつの交換を要する糞尿の有無を確認するために、おむつの内部に手を入れて確認する必要がなくなり、検査者の衛生を図ることができると共に、検査者やおむつを装着した被検査者に羞恥心を抱かせるのを防止することができる。また、おむつの濡れ状態を個別に検査する必要がなくなり、おむつの濡れ状態の検出を容易に且つ効率的に行うことができる。
【００２０】
ここで、前記検出装置が、前記共振タグに間欠的に電波を送信するものであることが好ましい。これによれば、病院内であっても、検出装置の送信する電波及び共振タグの反射波が精密機器やペースメーカーなどに悪影響を及ぼすのを防止して、安全におむつの濡れ状態の識別を行うことができる。
【発明の効果】
【００２１】
本発明によれば、濡れセンサを既存のおむつに貼着することで利用することができるため、おむつの製造段階から濡れセンサを埋め込む必要がなく、おむつのコストを低減することができる。また、濡れセンサをおむつの人体に接触する内面側に貼着可能とすることで、濡れセンサによるおむつの乾燥状態及び濡れ状態の正確な検出を行うことができる。
【発明を実施するための最良の形態】
【００２２】
以下に本発明を実施形態に基づいて詳細に説明する。
【００２３】
（実施形態１）
図１は、本発明の実施形態１に係るおむつ及び濡れセンサの斜視図であり、図２は、濡れセンサの平面図及び断面図である。
【００２４】
図１に示すように、濡れセンサ１０は、幼児用、大人用の各種サイズの紙おむつや布おむつなどのおむつ１の人体に接触する内面側に貼着されるものである。ここで、本実施形態のおむつ１は、図２（ｃ）に示すように、吸水シート２と、吸水シート２の外側に設けられた防水シート３と、吸水シート２の内側に設けられた保護シート４とを具備するものである。
【００２５】
濡れセンサ１０は、図２（ｂ）に示すように、共振タグ２０と、共振タグ２０の一方面に設けられた粘着層３０と、粘着層３０の共振タグ２０とは反対側の面に剥離可能に設けられた剥離膜４０とを具備する。
【００２６】
共振タグ２０は、一般的に用いられる共振タグであり、本実施形態では、図２（ａ）に示すように、フレキシブル基板等の基板２１上に導電体からなるコイル部２２と、キャパシタ部２３とが設けられたものである。このようなコイル部２２及びキャパシタ部２３は、例えば、基板２１上に金属ペーストを所定形状に印刷することにより形成することができる。勿論、共振タグ２０の製造方法は特にこれに限定されず、例えば、基板２１上の全面に亘って金属膜を成膜した後、金属膜をエッチングすることにより、所定形状のコイル部２２及びキャパシタ部２３を形成してもよく、また、基板２１上に所定形状のマスクを形成した後、基板２１上に金属を蒸着やスパッタリング法などにより形成することで、所定形状のコイル部２２及びキャパシタ部２３を形成するようにしてもよい。
【００２７】
一方、粘着層３０は、共振タグ２０の一方面側に設けられて、共振タグ２０をおむつ１に貼着させるものであり、例えば、樹脂等の接着剤が挙げられる。また、粘着層３０は、人体の皮膚に付着した際にかぶれが生じ難いもの、例えば、絆創膏などで使用されるアクリル系の接着剤を用いるのが好ましい。粘着層３０は、基本的におむつ１の内面に貼着されるため、人体への接触はほとんどないが、粘着層３０としてかぶれが生じ難いアクリル系の接着剤を用いることで、人体の動きになどによって濡れセンサ１０が折り返された場合などに粘着層３０が人体に接触してもかぶれるのを確実に防止できる。
【００２８】
また、粘着層３０の共振タグ２０とは反対側の面には、粘着層３０から剥離可能な剥離膜４０が設けられている。剥離膜４０は、一般的に粘着テープの粘着面を保護する剥離紙などからなる。剥離膜４０としては、例えば、紙等の支持体上にポリエチレン等のフィルムをラミネートし、その上にシリコーン等の剥離剤層を設けたものなどが挙げられる。
【００２９】
このような濡れセンサ１０は、剥離膜４０を粘着層３０から剥離し、おむつ１の人体に接触する内面側の所望の位置に貼着される。このため、おむつ１の製造段階で濡れセンサ１０を埋め込む必要がなく、市販される一般的なおむつ１に濡れセンサ１０を取り付けることができる。すなわち、サイズや用途の異なるおむつ１に対して同じ濡れセンサ１０を用いることができるため、濡れセンサ１０を量産化することができると共に、おむつ１に濡れセンサ１０を埋め込む必要がなく、おむつの製造コストが増大するのを防止して、コストを低減することができる。
【００３０】
ここで、上述した濡れセンサ１０を用いた濡れ検出システムについて詳細に説明する。なお、図３は、濡れ検出システムの構成を示す概略図である。
【００３１】
図３に示すように、濡れ検出システム５０は、濡れセンサ１０と、おむつ１の外部からおむつ１を介して共振タグ２０に電波を送信すると共に、共振タグ２０で共振した反射波をおむつを介して受信して、受信結果に基づいておむつ１の乾燥状態又は濡れ状態を識別する検出装置６０とを具備する。
【００３２】
検出装置６０は、濡れセンサ１０の共振タグ２０に所定の周波数の電波を送信すると共に、共振タグ２０が共振した反射波を受信する送受信装置７０と、送受信装置７０が受信した電波強度からおむつ１の乾燥状態又は濡れ状態を識別する比較器８０と、比較器の比較結果を通知する通知手段９０とを具備する。
【００３３】
送受信装置７０は、濡れセンサ１０の共振タグ２０に所定の周波数の電波を送信する送信部７１（Ｔｘ）と、共振タグ２０が共振した反射波を受信する受信部７２（Ｒｘ）とを具備する。
【００３４】
なお、送信部７１（Ｔｘ）は、例えば、送信アンテナ、発振器及び増幅回路（アンプ）などが含まれているものである。また、受信部７２（Ｒｘ）は、例えば、受信アンテナ及び増幅回路（アンプ）などが含まれているものである。
【００３５】
そして、送受信装置７０の受信部７２が受信した共振タグ２０の反射波は、受信部７２から電波強度を表す電圧として比較器８０に送られる。
【００３６】
比較器８０は、予め設定された基準電圧（Ｖｒｅｆ）と、受信部７２から送られた反射波の電波強度を表す電圧とを比較し、反射波の電波強度を表す電圧が基準電圧（Ｖｒｅｆ）よりも低い場合に、通知手段９０に信号を送る。また、比較器８０は、受信部７２から送られた反射波の電波強度を表す電圧が、基準電圧（Ｖｒｅｆ）よりも高い場合には、通知手段９０に信号を送出しない。
【００３７】
ここで、送信部７１から送信された電波は、おむつ１を介して共振タグ２０に受信され、共振タグ２０で共振した反射波は、おむつ１を介して受信部７２に受信される。すなわち、送受信装置７０から送信された電波及び共振タグ２０で共振した反射波は、全ておむつ１を通過する。このため、受信部７２が受信する共振タグ２０の反射波の強度は、おむつ１が乾燥した乾燥状態と、おむつ１が糞尿により濡れた濡れ状態とで差が生じることになる。すなわち、おむつ１が乾燥状態では、共振タグ２０で共振した反射波の強度は強く、おむつ１が濡れ状態では、共振タグ２０で共振した反射波の強度は、乾燥状態に比べて弱くなる。したがって、受信部７２が受信した反射波の強度を電圧として比較器８０に送り、比較器８０が反射波の電波強度を示す電圧と、基準電圧（Ｖｒｅｆ）とを比較することで、おむつ１が乾燥状態か濡れ状態かを検出することができる。
【００３８】
なお、基準電圧（Ｖｒｅｆ）は、おむつ１が乾燥状態で受信した反射波の電波強度と、おむつ１が濡れ状態で受信した反射波の電波強度との間で、おむつ１自体による電波強度への影響や検出距離などを考慮して閾値として適宜設定すればよい。
【００３９】
また、通知手段９０は、看護士、介護士又はおむつ１の装着者などの検出者に対して、おむつ１の濡れ状態を通知するものであり、例えば、画像や文字などを表示することにより検出者におむつ１の濡れ状態を知らせるモニタ、音の有無や音の違いにより検出者におむつ１の濡れ状態を知らせるブザー、光の有無により検出者におむつ１の濡れ状態を知らせるランプなどが挙げられる。本実施形態では、通知手段９０としてブザーを用いるようにした。なお、比較器８０は、反射波の電圧が基準電圧（Ｖｒｅｆ）よりも低い場合に、通知手段９０にこのことを現す信号を送出し、反射波の電圧が基準電圧（Ｖｒｅｆ）よりも高い場合に、前記信号を送出しないことで、ブザーからなる通知手段９０を鳴動させるか否かを行う。これにより、検出者は、通知手段９０が鳴動している場合には、おむつ１が濡れ状態であると判断できると共に、通知手段９０が鳴動していない場合には、おむつ１が乾燥状態であると判断できる。
【００４０】
なお、本実施形態では、送信部７１による電波の送信を、制御部７３によって間欠的に行うようになっている。すなわち、本実施形態の検出装置６０は、常に電波を送信しているのではなく、数十秒置きや数分置きなどの所定の間隔で電波を送信し、おむつ１の濡れ状態を検査する。これにより、病院内であっても、検出装置６０の送信する電波及び共振タグ２０の反射波が精密機器やペースメーカーなどに悪影響を及ぼすのを防止すると共に人体への影響をなくして、安全におむつ１の濡れ状態の識別を行うことができる。
【００４１】
このように、本実施形態の濡れ検出システム５０によれば、共振タグ２０を有する濡れセンサ１０をおむつ１の人体に接触する内面側に貼着し、外部から検出装置６０を用いておむつ１の濡れ状態を検出することができるため、おむつ１の交換を要する糞尿の有無を確認するために、おむつ１の内部に手を入れて確認する必要がなくなり、検査者の衛生を図ることができると共に、検査者やおむつ１を装着した被検査者に羞恥心を抱かせるのを防止することができる。
【００４２】
また、このような濡れ検出システム５０によれば、おむつ１の濡れ状態を個別に検査する必要がなくなり、おむつ１の濡れ状態の検出を容易に且つ効率的に行うことができる。
【００４３】
（実施形態２）
図４は、本発明の実施形態２に係る濡れセンサの断面図及び濡れセンサをおむつに貼着した断面図である。なお、上述した実施形態１と同様の部材には、同一の符号を付して重複する説明は省略する。
【００４４】
図４に示すように、本実施形態の濡れセンサ１０Ａは、共振タグ２０と、共振タグ２０の一方面側に設けられた吸水層１００と、吸水層１００の共振タグ２０とは反対側の面に設けられた粘着層３０と、剥離膜４０とを具備する。
【００４５】
すなわち、本実施形態では、実施形態１の濡れセンサ１０の共振タグ２０と粘着層３０との間に吸水層１００が設けられた構成である。
【００４６】
なお、吸水層１００としては、多孔質材料、例えば、綿状パルプ、高分子吸水ポリマー、ウレタンフォームなどを挙げることができる。
【００４７】
このように、濡れセンサ１０Ａに吸水層１００を設けることによって、吸水層１００が最初に濡れるので、図５に示すように、濡れセンサ１０Ａとおむつ１の吸水シート２との間に空間Ａが生じた場合であっても、濡れセンサ１０Ａの糞尿を吸水した吸水層１００が、上述した検出装置６０（図３参照）によるおむつ１の濡れ検出を高精度に行うことができる。ちなみに、吸水層１００が設けられていない濡れセンサの場合、濡れセンサとおむつ１の吸水シート２との間に空間Ａが生じると、検出装置６０からの電波及び共振タグで共振した反射波が空間を介して送受信されるため、おむつ１の吸水シート２が実際に濡れている（吸水している）にも関わらず、検出装置６０がおむつ１が乾燥状態であると誤認してしまう可能性がある。
【００４８】
本実施形態では、濡れセンサ１０Ａに吸水層１００を設けることで、空間Ａによる検出装置６０の誤認を低減させて、おむつ１の濡れ状態の検出を高精度に行うことができる。
【００４９】
なお、糞尿の量が少なく、濡れセンサ１０Ａに相対向する領域が濡れていない状態であっても、濡れセンサ１０Ａをおむつ１の人体に触れる内面側に設けると共に濡れセンサ１０Ａに吸水層１００を設けることによって、吸水層１００におむつ１よりも先に積極的に吸水を行わせることができるため、検出装置６０によるおむつ１の濡れ状態の検出を高精度に行うことができる。
【００５０】
（実施形態３）
図６は、本発明の実施形態３に係る濡れセンサの断面図及び濡れセンサをおむつに貼着した断面図である。なお、上述した実施形態１及び２と同様の部材には同一の符号を付して重複する説明は省略する。
【００５１】
図６に示すように、本実施形態の濡れセンサ１０Ｂは、共振タグ２０、粘着層３０及び剥離膜４０と、共振タグ２０の粘着層３０とは反対側の表面に設けられた保護膜１１０とを具備する。
【００５２】
保護膜１１０は、共振タグ２０と同じ大きさで設けられて、共振タグ２０の粘着層３０とは反対側の表面に接着剤などを介して接着されている。この保護膜１１０は、濡れセンサ１０Ｂが人体に接触した際に、人体がかぶれるのを防止するものである。このような保護膜１１０としては、例えば、布、紙、樹脂などが挙げられる。本実施形態では、保護膜１１０として不織布を用いた。
【００５３】
このように、濡れセンサ１０Ｂに保護膜１１０を設けることによって、濡れセンサ１０Ｂをおむつ１の人体に接触する内面側に貼着しても、濡れセンサ１０Ｂによる人体のかぶれを確実に防止することができる。
【００５４】
（実施形態４）
図７は、本発明の実施形態４に係る濡れセンサの断面図及び濡れセンサをおむつに貼着した断面図である。なお、上述した実施形態１〜３と同様の部材には同一の符号を付して重複する説明は省略する。
【００５５】
図７に示すように、本実施形態の濡れセンサ１０Ｃは、共振タグ２０、吸水層１００、粘着層３０Ａ、共振タグ２０よりも広い面積を有する剥離膜４０Ａ及び共振タグ２０よりも広い面積を有する保護膜１１０Ａを具備する。
【００５６】
保護膜１１０Ａは、共振タグ２０の粘着層３０Ａとは反対側の表面に接着剤などを介して接着されている。また、保護膜１１０Ａは、共振タグ２０を覆う大きさで設けられている。
【００５７】
そして、粘着層３０Ａは、共振タグ２０と保護膜１１０Ａの外周側の共振タグ２０側の面とに亘って連続して設けられている。また、剥離膜４０Ａは、共振タグ２０よりも広い面積を有し、共振タグ２０と保護膜１１０Ａとの粘着層３０Ａの粘着面を保護する。
【００５８】
このような濡れセンサ１０Ｃでは、図７（ｂ）に示すように、保護膜１１０Ａを共振タグ２０よりも広い面積として、保護膜１１０Ａを粘着層３０Ａを介しておむつ１に貼着することで、保護膜１１０Ａによって、共振タグ２０の側面を含む表面全てを覆うことができる。このため、共振タグ２０の表面、特に側面が人体に接触することによる人体のかぶれを確実に防止することができる。
【００５９】
なお、本実施形態では、濡れセンサ１０Ｃに吸水層１００を設けたため、保護膜１１０Ａは、透水性を有する材料が好ましい。本実施形態では、保護膜１１０Ａとして不織布を用いた。
【００６０】
また、本実施形態では、共振タグ２０と保護膜１１０Ａとに共通の粘着層３０Ａを設け、この粘着層３０Ａの粘着面を１枚の剥離膜４０Ａで保護するようにしたが、特にこれに限定されず、例えば、上述した実施形態１〜３と同様に共振タグ２０と同一面積の粘着層３０及び剥離膜４０を設け、保護膜１１０Ａの保護膜用粘着層及び保護膜用剥離膜が、共振タグ２０の粘着層３０及び剥離膜４０の何れか一方又は両方と不連続となるように独立して設けるようにしてもよい。
【００６１】
（実施形態５）
図８は、本発明の実施形態５に係る濡れセンサの断面図及び濡れセンサをおむつに貼着した断面図である。なお、上述した実施形態１〜４と同様の部材には同一の符号を付して重複する説明は省略する。
【００６２】
図８に示すように、本実施形態の濡れセンサ１０Ｄは、共振タグ２０と、この共振タグ２０とは別体で当該共振タグ２０を粘着するための粘着体として、共振タグ２０よりも広い面積を有する保護膜１１０Ｂと、この保護膜１１０Ｂに一面に設けられた粘着層３０Ｂと、この粘着層３０Ｂに設けられた剥離膜４０Ｂとを具備する。
【００６３】
このような濡れセンサ１０Ｄでは、図８（ｂ）に示すように、共振タグ２０よりも広い面積の保護膜１１０Ｂ及び粘着層３０Ｂを介して共振タグ２０をおむつ１に貼着することで、保護膜１１０Ｂ及び粘着層３０Ｂによって、共振タグ２０の側面を含む表面全てを覆っておむつ１に固定することができる。このため、共振タグ２０の表面、特に側面が人体に接触することによる人体のかぶれを確実に防止することができる。
【００６４】
なお、本実施形態では、濡れセンサ１０Ｄに吸水層１００を設けていないが、共振タグ２０のおむつ１に相対向する一方面に上述した実施形態と同様な吸水層１００を設けてもよい。
【００６５】
（他の実施形態）
以上、本発明の各実施形態を説明したが、本発明の基本的構成は上述したものに限定されるものではない。例えば、上述した各実施形態では、濡れセンサ１０〜１０Ｄに、１つの共振タグ２０と、１つの剥離膜４０〜４０Ｂとを設けるようにしたが、特にこれに限定されず、例えば、複数の共振タグ２０を、共振タグ２０よりも広い面積を有する１枚の共通の剥離膜４０に貼着するようにしてもよい。すなわち、濡れセンサ１０〜１０Ｄは、剥離膜４０〜４０Ｂから取り外しておむつ１に貼着されるため、複数の共振タグ２０が１枚の共通の剥離膜４０に貼着されていても特に問題がない。
【００６６】
また、上述した各実施形態では、検出装置６０が、共振タグ２０の反射波の電波強度を電圧として取得し、取得した電圧と基準電圧（Ｖｒｅｆ）とを比較することで、おむつ１の濡れ状態を検出するようにしたが、特にこれに限定されず、例えば、検出装置６０の発信部７１が所定の範囲の周波数帯の掃引信号を送信するようにして、比較器８０が、乾燥状態のおむつ１で受信した反射波の周波数と、濡れ状態のおむつ１で受信した反射波の周波数との位相を比較するようにしてもよい。これによれば、受信部７２が受信する電波の強度が、検出装置６０のおむつ１からの距離の変化や遮蔽物の有無などにより影響を受けたとしても、受信した電波強度に関わらずおむつ１の濡れ状態を高精度に検出することができる。
【図面の簡単な説明】
【００６７】
【図１】本発明の実施形態１に係る濡れセンサ及びおむつの概略斜視図である。
【図２】本発明の実施形態１に係る共振タグの平面図及び濡れセンサの断面図並びに濡れセンサをおむつに貼着した断面図である。
【図３】本発明の実施形態１に係る濡れ検出システムを示す概略図である。
【図４】本発明の実施形態２に係る濡れセンサの断面図並びに濡れセンサをおむつに貼着した断面図である。
【図５】本発明の実施形態２に係る濡れセンサをおむつに貼着した断面図である。
【図６】本発明の実施形態３に係る濡れセンサの断面図並びに濡れセンサをおむつに貼着した断面図である。
【図７】本発明の実施形態４に係る濡れセンサの断面図並びに濡れセンサをおむつに貼着した断面図である。
【図８】本発明の実施形態５に係る濡れセンサの断面図並びに濡れセンサをおむつに貼着した断面図である。
【符号の説明】
【００６８】
１  おむつ
２  吸水シート
３  防水シート
４  保護シート
１０、１０Ａ、１０Ｂ、１０Ｃ、１０Ｄ  濡れセンサ
２０  共振タグ
３０、３０Ａ、３０Ｂ  粘着層
４０、４０Ａ、４０Ｂ  剥離膜
５０  濡れ検出システム
６０  検出装置
１００  吸水層
１１０、１１０Ａ  保護膜
【図１】
2008272331.tif 000003
【図２】
2008272331.tif 000004
【図３】
2008272331.tif 000005
【図４】
2008272331.tif 000006
【図５】
2008272331.tif 000007
【図６】
2008272331.tif 000008
【図７】
2008272331.tif 000009
【図８】
2008272331.tif 000010